【手続補正書】
【提出日】平成18年4月12日(2006.4.12)
【手続補正１】
【補正対象書類名】明細書
【補正対象項目名】特許請求の範囲
【補正方法】変更
【補正の内容】
【特許請求の範囲】
【請求項１】  ファインダ視野内にフォーカスポイントを示す複数の測距点を持つ自動焦点調節手段と、
撮像画像を再生可能な表示手段と、
撮像画像を一時的に格納するための記憶手段とを有し、
撮像後、撮像画像から合焦点付近の画像を切り出して前記表示手段に表示し、前記記憶手段に格納されている撮像画像のうち、当該記憶手段とは別の記録媒体に送信しない撮像画像が消去可能であることを特徴とする撮像装置。
【請求項２】  ファインダ視野内にフォーカスポイントを示す複数の測距点を持つ自動焦点調節手段と、
撮像画像を再生可能な表示手段と、
撮像画像を一時的に格納するための記憶手段とを有し、
撮像後、撮像画像から合焦点付近の画像を切り出して前記表示手段に表示し、切り出した画像を前記記憶手段とは異なる記録媒体に撮影画像と関連付けて保存することを特徴とする撮像装置。
【請求項３】  ファインダ視野内にフォーカスポイントを示す複数の測距点を持つ自動焦点調節手段と、
前記複数の測距点を自動で選択する自動選択モードと前記複数の測距点を手動により選択する手動選択モードとを切り替える第１の操作部材と、
前記第１の操作部材により手動選択モードが選ばれたときに前記複数の測距点から任意の測距点を選択可能な第２の操作部材と、
撮像画像を再生可能な表示手段とを有し、
前記第１の操作部材により前記自動選択モードが選択された場合は撮像後、撮像画像から自動選択された測距点付近の画像を前記表示手段に表示し、
前記第１の操作部材により前記手動選択モードが選択された場合は撮像後、撮像画像から前記第２の操作部材で選択された測距点付近の画像を前記表示手段に表示することを特徴とする撮像装置。
【請求項４】  撮像画像を一時的に格納するための記憶手段と、
前記表示手段に合焦した測距点付近の画像が表示されているときにその撮像画像を消去する消去手段とを有し、
前記記憶手段に格納されている撮像画像のうち、当該記憶手段とは別の記録媒体に送信しない撮像画像が前記消去手段により消去されることを特徴とする請求項３に記載の撮像装置。
【請求項５】  撮像画像を一時的に格納するための記憶手段と、
前記記憶手段に格納されている撮像画像から、合焦点付近の画像を切り出す画像処理手段とを有し、
切り出した画像を前記記憶手段とは異なる記録媒体に撮像画像と関連付けて保存することを特徴とする請求項３に記載の撮像装置。
【請求項６】  ファインダ視野内にフォーカスポイントを示す複数の測距点を持つ自動焦点調節手段と、
前記複数の測距点を自動で選択する自動選択モードと前記複数の測距点を手動により選択する手動選択モードとを切り替える第１の操作部材と、
前記第１の操作部材により手動選択モードが選ばれたときに前記複数の測距点から任意の測距点を選択可能な第２の操作部材と、
測光および測距を含む撮影準備動作を行うレリーズスイッチの最初のストロークでオンする第１ストロークスイッチと、
前記第１ストロークスイッチがオンした後、撮像を行う次のストロークでオンする第２ストロークスイッチと、
撮像画像を再生可能な表示手段とを有し、
前記第１の操作部材により前記自動選択モードが選択された状態で前記第１ストロークスイッチがオンされると、自動選択された測距点付近の画像が前記表示手段の画面全体に表示され、さらに続けて前記第２ストロークスイッチがオンされると撮像が行われ、
前記第１の操作部材により前記手動選択モードが選択された状態で、前記第１ストロークスイッチがオンされると、前記第２の操作部材で選択された測距点付近の画像が前記表示手段の画面全体に表示され、さらに続けて、前記第２ストロークスイッチがオンされると撮像が行われることを特徴とする撮像装置。
【請求項７】  撮像画像を表示可能な表示手段を持ち、脱着可能な記録媒体に撮像画像を記録するようにした撮像装置であって、
前記記録媒体に撮像画像を記録する前に、前記表示手段において合焦位置を含む領域を拡大表示し得るようにしたことを特徴とする撮像装置。
【請求項８】  前記表示手段に表示された画像に合焦位置をインポーズするようにしたことを特徴とする請求項７に記載の撮像装置。
【請求項９】  前記記録媒体に撮像画像を記録する際、その合焦位置に関する情報を同時に記録することを特徴とする請求項７に記載の撮像装置。
【請求項１０】  前記記録媒体から撮像画像を読み出し、再生表示し得るようにしたことを特徴とする請求項７に記載の撮像装置。
【請求項１１】  前記記録媒体から撮像画像を読み出し、再生表示するとき同時に、合焦位置に関する情報を読み出し、表示画像に合焦位置を表示し得るようにしたことを特徴とする請求項１０に記載の撮像装置。
【手続補正２】
【補正対象書類名】明細書
【補正対象項目名】０００６
【補正方法】変更
【補正の内容】
【０００６】
【課題を解決するための手段】
本発明の撮像装置は、ファインダ視野内にフォーカスポイントを示す複数の測距点を持つ自動焦点調節手段と、撮像画像を再生可能な表示手段と、撮像画像を一時的に格納するための記憶手段とを有し、撮像後、撮像画像から合焦点付近の画像を切り出して前記表示手段に表示し、前記記憶手段に格納されている撮像画像のうち、当該記憶手段とは別の記録媒体に送信しない撮像画像が消去可能であることを特徴とする。
【手続補正３】
【補正対象書類名】明細書
【補正対象項目名】０００７
【補正方法】変更
【補正の内容】
【０００７】
また、本発明の撮像装置は、ファインダ視野内にフォーカスポイントを示す複数の測距点を持つ自動焦点調節手段と、撮像画像を再生可能な表示手段と、撮像画像を一時的に格納するための記憶手段とを有し、撮像後、撮像画像から合焦点付近の画像を切り出して前記表示手段に表示し、切り出した画像を前記記憶手段とは異なる記録媒体に撮影画像と関連付けて保存することを特徴とする。
【手続補正４】
【補正対象書類名】明細書
【補正対象項目名】０００８
【補正方法】変更
【補正の内容】
【０００８】
また、本発明の撮像装置は、ファインダ視野内にフォーカスポイントを示す複数の測距点を持つ自動焦点調節手段と、前記複数の測距点を自動で選択する自動選択モードと前記複数の測距点を手動により選択する手動選択モードとを切り替える第１の操作部材と、前記第１の操作部材により手動選択モードが選ばれたときに前記複数の測距点から任意の測距点を選択可能な第２の操作部材と、撮像画像を再生可能な表示手段とを有し、前記第１の操作部材により前記自動選択モードが選択された場合は撮像後、撮像画像から自動選択された測距点付近の画像を前記表示手段に表示し、前記第１の操作部材により前記手動選択モードが選択された場合は撮像後、撮像画像から前記第２の操作部材で選択された測距点付近の画像を前記表示手段に表示することを特徴とする。
【手続補正５】
【補正対象書類名】明細書
【補正対象項目名】０００９
【補正方法】変更
【補正の内容】
【０００９】
また、本発明の撮像装置は、ファインダ視野内にフォーカスポイントを示す複数の測距点を持つ自動焦点調節手段と、前記複数の測距点を自動で選択する自動選択モードと前記複数の測距点を手動により選択する手動選択モードとを切り替える第１の操作部材と、前記第１の操作部材により手動選択モードが選ばれたときに前記複数の測距点から任意の測距点を選択可能な第２の操作部材と、測光および測距を含む撮影準備動作を行うレリーズスイッチの最初のストロークでオンする第１ストロークスイッチと、前記第１ストロークスイッチがオンした後、撮像を行う次のストロークでオンする第２ストロークスイッチと、撮像画像を再生可能な表示手段とを有し、前記第１の操作部材により前記自動選択モードが選択された状態で前記第１ストロークスイッチがオンされると、自動選択された測距点付近の画像が前記表示手段の画面全体に表示され、さらに続けて前記第２ストロークスイッチがオンされると撮像が行われ、前記第１の操作部材により前記手動選択モードが選択された状態で、前記第１ストロークスイッチがオンされると、前記第２の操作部材で選択された測距点付近の画像が前記表示手段の画面全体に表示され、さらに続けて、前記第２ストロークスイッチがオンされると撮像が行われることを特徴とする。
【手続補正６】
【補正対象書類名】明細書
【補正対象項目名】００１０
【補正方法】変更
【補正の内容】
【００１０】
また、本発明の撮像装置は、撮像画像を表示可能な表示手段を持ち、脱着可能な記録媒体に撮像画像を記録するようにした撮像装置であって、前記記録媒体に撮像画像を記録する前に、前記表示手段において合焦位置を含む領域を拡大表示し得るようにしたことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、カメラの測距点に連動して、撮像画像中の合焦した測距点付近の画像が表示手段の画面全体に表示されるので、撮像後すぐに撮像画像のピントを確認することができる。
【手続補正１０】
【補正対象書類名】明細書
【補正対象項目名】００１４
【補正方法】変更
【補正の内容】
【００１４】
また、本発明によれば、測距点選択モードが自動選択モードおよび手動選択モードのどちらであっても、撮像画像中の合焦した測距点付近の画像が表示手段の画面全体に表示されるので、撮像後すぐに撮像画像のピントを確認することができる。
【手続補正１１】
【補正対象書類名】明細書
【補正対象項目名】００１５
【補正方法】変更
【補正の内容】
【００１５】
また、本発明によれば、測距点選択モードが視線選択モードおよび自動選択モードおよび手動選択モードのどれであっても、撮像画像中の合焦した測距点付近の画像が表示手段の画面全体に表示されるので、撮像後すぐに撮像画像のピントを確認することができる。
【手続補正１２】
【補正対象書類名】明細書
【補正対象項目名】００１６
【補正方法】変更
【補正の内容】
【００１６】
また、本発明によれば、測距点選択モードが視線選択モードおよび自動選択モードおよび手動選択モードのどれであっても、撮像画像中の合焦した測距点付近の画像が表示手段の画面全体に表示され、画像のピント確認をしてから記録媒体に画像を記録するので、ピンボケの写真を記録媒体に記録する無駄をなくすことができる。
【手続補正１３】
【補正対象書類名】明細書
【補正対象項目名】００１７
【補正方法】変更
【補正の内容】
【００１７】
また、本発明によれば、撮像画像中の合焦した測距点付近を切り出した画像を撮像画像と関連付けて保存するので、再度表示手段に表示させるときは、画像処理手段で撮像画像を処理することなしに素早く表示することができ、ピント確認することができる。
【手続補正１４】
【補正対象書類名】明細書
【補正対象項目名】００１８
【補正方法】変更
【補正の内容】
【００１８】
また、本発明によれば、レリーズボタンの第１ストロークをオンしたときに、測距点選択モードが自動選択モードおよび手動選択モードのどちらであっても、撮像画像中の合焦した測距点付近の画像が表示手段の画面全体に表示されるので、撮像画像のピント確認ができ、ピンボケの写真を記録媒体に記録する無駄をなくすことができる。
【手続補正１５】
【補正対象書類名】明細書
【補正対象項目名】００１９
【補正方法】変更
【補正の内容】
【００１９】
また、本発明によれば、レリーズボタンの第１ストロークをオンしたときに、測距点選択モードが視線選択モードおよび自動選択モードおよび手動選択モードのどれであっても、撮像画像中の合点した測距点付近の画像が表示手段の画面全体に表示されるので、撮像画像のピント確認ができ、ピンボケの写真を記録媒体に記録する無駄をなくすことができる。